(57)【特許請求の範囲】
【請求項１】
接続された照明機器を検出する検出部と；
前記検出部が検出した各照明機器に対し、各照明機器を制御するための制御アドレスを一括して設定する設定部と；
前記照明機器に対する操作を受付ける１つ又は複数の操作部を有する照明制御装置と；
を具備し、
前記設定部は、前記照明機器に対し、当該照明機器への操作を受付ける操作部に予め関連付けられた制御アドレスを設定する
することを特徴とする照明制御システム。 
【請求項２】
接続された照明機器を検出する検出部と；
前記検出部が検出した各照明機器に対し、各照明機器を制御するための制御アドレスを一括して設定する設定部と；
前記照明機器の設置位置と、当該照明機器に設定された制御アドレスと、当該照明機器に対する操作を受付ける操作部の識別情報とを表示する表示部と；
を具備することを特徴とする照明制御システム。
【請求項３】
前記検出部は、前記照明制御システムに接続された照明機器から、当該照明機器の種別を示す情報を収集し、
前記表示部は、前記照明機器の種別に応じて視覚的に異なる表示を行うことを特徴とする請求項２に記載の照明制御システム。 
【請求項４】
前記設定部は、制御対象から除外する照明機器に対し、各操作部に予め関連付けられた制御アドレスとは異なる制御アドレスを設定することを特徴とする請求項１〜３のうちいずれか１つに記載の照明制御システム。 
【請求項５】
前記設定部は、前記照明機器に対し、当該照明機器に対する操作を受付ける操作部の識別情報を制御アドレスとして設定することを特徴とする請求項１〜４のうちいずれか１つに記載の照明制御システム。 
【請求項６】
前記検出部は、前記照明機器が設置される位置を検出し、
前記設定部は、前記照明機器に対し、当該照明機器が設置される位置に対応した制御アドレスを設定することを特徴とする請求項１〜５のうちいずれか１項に記載の照明制御システム。 
【請求項７】
前記設定部は、制御対象とする各照明機器に対して、それぞれ異なる制御アドレスを設定することを特徴とする請求項１〜６のうちいずれか１項に記載の照明制御システム。 
【請求項８】
前記検出部は、前記照明制御システムに接続された照明機器から、前記照明機器に予め付与された識別子を収集し、
前記設定部は、前記識別子が収集された各照明機器に対し、前記制御アドレスを設定することを特徴とする請求項１〜７のうちいずれか１項に記載の照明制御システム。
【請求項９】
照明機器を制御する照明制御システムであって、
前記照明制御システムの制御対象となる照明機器を検出する検出部と；
前記検出部により検出された各照明機器に設定済みの制御アドレスを、前記照明制御システムが各照明機器を制御するための制御アドレスであって、当該照明機器への操作を受付ける操作部に予め関連付けられた制御アドレスに更新する更新部と；
を具備することを特徴とする照明制御システム。
【請求項１０】
照明制御システムからの制御を受付ける照明機器の照明制御方法であって、
前記照明制御システムの制御対象から除外する照明機器に対し、前記照明制御システムが制御対象となる照明機器を制御する際に用いる制御アドレスとは異なる制御アドレスであって、前記照明機器に対する操作を受付ける１つ又は複数の操作部に予め関連付けられた制御アドレスとは異なる制御アドレスを設定する設定ステップ；
を含むことを特徴とする照明機器の照明制御方法。 
【請求項１１】
接続された照明機器を検出する検出ステップと；
前記検出ステップで検出した各照明機器に対し、各照明機器を制御するための制御アドレスであって、各照明機器への操作を受付ける操作部に予め関連付けられた制御アドレスを一括して設定する設定ステップと；
を含むことを特徴とする照明制御方法。 
【請求項１２】
コンピュータに、
接続された照明機器を検出する検出手順と；
前記検出手順で検出した各照明機器に対し、各照明機器を制御するための制御アドレスであって、各照明機器への操作を受付ける操作部に予め関連付けられた制御アドレスを一括して設定する設定手順と；
を実行させることを特徴とする照明制御プログラム。
【請求項１３】
照明制御システムからの制御を受付ける照明機器の照明制御方法であって、
接続された照明機器を検出する検出工程と；
前記検出工程で検出した各照明機器に対し、各照明機器を制御するための制御アドレスを一括して設定する設定工程と；
前記照明機器の設置位置と、当該照明機器に設定された制御アドレスと、当該照明機器に対する操作を受付ける操作部の識別情報とを表示する表示工程と；
を含むことを特徴とする照明制御方法。
【請求項１４】
コンピュータに、
接続された照明機器を検出する検出手順と；
前記検出手順で検出した各照明機器に対し、各照明機器を制御するための制御アドレスを一括して設定する設定手順と；
前記照明機器の設置位置と、当該照明機器に設定された制御アドレスと、当該照明機器に対する操作を受付ける操作部の識別情報とを表示する表示手順と；
を実行させるための照明制御プログラム。
【発明の詳細な説明】
【技術分野】
【０００１】
本発明の実施形態は、照明制御システム、照明制御方法および照明制御プログラムに関する。
【背景技術】
【０００２】
従来、スタジオや舞台等は、天井から吊るされたバトンと呼ばれる長尺の装置に取り付けられた複数の照明機器により照明演出がなされている。そして、各照明機器側に設定される制御アドレスを用いて、照明制御装置が各照明機器を遠隔制御する照明制御システムが導入されている。
【０００３】
このような照明制御システムでは、各照明機器が備えるスイッチで制御アドレスを設定し、制御アドレスを設定した照明機器をバトンに吊り込みし、照明制御装置が有する調光用フェーダ等の操作部と各照明機器に設定した制御アドレスとの対応を照明制御装置側に設定するといった一連の設定作業をあらかじめ手作業で行う必要がある。
【０００４】
このように、照明制御システムでは、手作業で設定作業を行わなければならない上、照明機器を吊り込む位置や制御アドレスに変更が生じた場合や、制御アドレスの設定誤りが生じた場合は、各照明機器側で制御アドレスの設定を再度行わなければならず、効率良い設定作業の支障となっていた。
【先行技術文献】
【特許文献】
【０００５】
【特許文献１】特開２０１４−１２０３５１号公報
【発明の概要】
【発明が解決しようとする課題】
【０００６】
本発明が解決しようとする課題は、設定作業の効率を向上させることができる照明制御システム、照明制御方法および照明制御プログラムを提供することである。
【課題を解決するための手段】
【０００７】
実施形態の一例に係る照明制御システムは、検出部と、設定部とを具備する。検出部は、照明制御システムに接続された照明機器を検出する。設定部は、検出部が検出した各照明機器に対し、各照明機器を制御するための制御アドレスであって、各照明機器への操作を受付ける操作部に予め関連付けられた制御アドレスを一括して設定する。
【発明の効果】
【０００８】
実施形態の一例に係る照明制御システム、照明制御方法および照明制御プログラムによれば、設定作業の効率を向上させることができる。
【図面の簡単な説明】
【０００９】
【図１】図１は、実施形態に係る照明制御システムの構成の一例を示すブロック図である。
【図２】図２は、実施形態に係る各装置の機能構成の一例を示すブロック図である。
【図３】図３は、実施形態に係るフェーダ番号管理テーブルに格納された情報の一例を示す図である。
【図４】図４は、実施形態に係るアドレス管理テーブルに格納された情報の一例を示す図である。
【図５】図５は、実施形態に係る照明制御装置が表示する情報の一例を示す第１の図である。
【図６】図６は、実施形態に係る照明制御装置が表示する情報の一例を示す第２の図である。
【図７】図７は、実施形態に係る照明制御装置における設定処理の一例を示すフローチャートである。
【図８】図８は、実施形態に係る照明機器と制御アドレスとフェーダ番号との対応の一例を説明する図である。
【図９】図９は、実施形態に係る照明機器情報が表示する画面のバリエーションを示す図である。
【発明を実施するための形態】
【００１０】
以下、図面を参照して、実施形態に係る照明制御システム、照明制御方法および照明制御プログラムを説明する。実施形態において同一の機能を有する構成には同一の符号を付し、重複する説明は省略する。なお、以下の実施形態で説明する照明制御システム、照明制御方法および照明制御プログラムは、一例を示すに過ぎず、実施形態を限定するものではない。例えば、以下の実施形態では、照明制御システムは、照明機器以外にも、任意の舞台装置の制御にも適用することができる。なお、以下の各実施形態は、矛盾しない範囲内で適宜組みあわせてもよい。
【００１１】
以下の実施形態に係る照明制御システム１は、照明制御システム１に接続された照明機器１０を検出する位置検出部２４と、位置検出部２４が検出した各照明機器に対し、各照明機器１０を制御するための制御アドレスを一括して設定する制御部５５とを有する。
【００１２】
また、以下の実施形態に係る照明制御システム１の照明制御装置５０は、照明機器１０（例えば、１０−１〜１０−ｎ）に対する操作を受付ける操作部５２（例えば、フェーダ５２ａ〜５２ｄ）を有する。そして、照明制御システム１は、例えば、照明機器１０に対する操作を受付ける操作部５２に対応した制御アドレスを、照明機器１０に対して設定する。
【００１３】
また、以下の実施形態に係る照明制御システム１は、制御対象から除外する照明機器に対し、操作部５２に対応した制御アドレスとは異なる制御アドレスを設定する。
【００１４】
また、以下の実施形態に係るフェーダ５２ａ〜５２ｄには、フェーダ番号等の情報が付与されている。そして、照明制御システム１は、照明機器１０に対し、照明機器１０に対する操作を受付けるフェーダ５２ａ〜５２ｄに付与された情報を制御アドレスとして設定する。
【００１５】
また、以下の実施形態に係る照明制御システム１は、照明機器１０が設置される位置を検出し、当該位置に対応した制御アドレスを各照明機器１０に対して設定する。
【００１６】
また、以下の実施形態に係る照明制御システム１は、制御対象とする各照明機器に対して、それぞれ異なる制御アドレスを設定する。
【００１７】
また、以下の実施形態に係る照明制御システム１は、接続された照明機器１０から、予め付与されたＵＩＤ（Unique  Identifier）を収集し、ＵＩＤが収集された照明機器１０に対して制御アドレスを設定する。
【００１８】
また、以下の実施形態に係る照明制御システム１は、各照明機器１０の設置位置と、各照明機器１０に設定された制御アドレスと、各照明機器１０に対する操作を受付けるフェーダ５２ａ〜５２ｄの識別情報とを表示する。
【００１９】
また、以下の実施形態に係る照明制御システム１は、接続された照明機器１０から、機器型番等の照明機器の種別を示す情報を収集し、照明機器の種別に応じて視覚的に異なる表示を行う。例えば、照明機器の種別に応じて異なる大きさや形のアイコン、模様、文字列を表示する。
【００２０】
また、以下の実施形態に係る照明制御システム１は、照明制御システム１の制御対象となる照明機器１０を検出する位置検出部２４と、位置検出部２４が検出した各照明機器１０に設定済みの制御アドレスを、照明制御システム１が各照明機器１０を制御するための制御アドレスに更新する制御部５５とを有する。
【００２１】
また、以下の実施形態に係る照明制御方法は、照明制御システム１の制御対象から除外する照明機器に対し、照明制御システム１が制御対象とする照明機器を制御する際に用いる制御アドレスとは異なる制御アドレスを設定する。
【００２２】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、ハブ３０、電源装置４０、照明制御装置５０を有する。なお、照明制御システム１に接続される照明機器およびバトン装置の種別や数などは任意に設定できる。
【００２３】
照明制御システム１において、照明機器１０は、ＤＭＸ規格に従った通信プロトコルや、ＤＭＸを拡張したＲＤＭ（Remote  Device  Management）規格に沿った通信方式により、バトン装置２０や照明制御装置５０と双方向通信が可能であり、バトン装置２０に接続される。また、照明機器１０は、ＬＥＤ（Light  Emitting  Diodes）等の半導体発光素子を有し、制御信号に従って、明るさ、範囲、色彩等を変化させることで、スタジオや舞台等の照明演出を行う。
【００２４】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００２５】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。
【００２６】
電源装置４０は、バトン装置２０−１〜２０−ｎを介して、各照明機器１０−１〜１０−ｎに電力を供給する電源装置であり、例えば、電圧変換の機能、ブレーカー、ＵＰＳ（Uninterruptible  Power  Supply）等の機能を有する。
【００２７】
照明制御装置５０は、オペレータから照明機器１０に対する操作指令を受付けると、照明機器１０−１〜１０−ｎに付与された制御アドレスを含む制御情報を生成し、ハブ３０を介してバトン装置２０−１〜２０−ｎに制御情報を送信する。このような場合、バトン装置２０−１〜２０−ｎは、制御情報をＲＤＭ規格に沿った制御信号（例えば、調光信号等）に変換し、制御アドレスが示す照明機器に対して制御信号を出力することで、照明機器１０−１〜１０−ｎの制御を行う。このように、照明制御装置５０は、制御アドレスを用いて、照明機器１０−１〜１０−ｎを遠隔制御する。
【００２８】
（実施形態に係る照明制御システムが実行する設定処理）
ここで、従来の照明制御システムでは、照明機器の追加、変更や、照明機器を別の位置に移動する場合や、制御アドレスを誤って設定してしまった場合は、照明機器に正しい制御アドレスを設定する作業や、照明機器に対する操作を受付けるフェーダと制御アドレスとの対応付けのための作業を再度行わなくてはならない。一般に、照明機器１０には、工場出荷時の試験のために同一のアドレスが付与されていたり、前回使用時の制御アドレスが保存されたままになっていることがあるため、そのままでは適切に制御を行うことができない。
【００２９】
そこで、上述した照明制御システム１は、以下の設定処理を実行する。まず、バトン装置２０−１〜２０−ｎは、照明制御システム１に接続された全ての照明機器１０−１〜１０−ｎを検出する。例えば、それぞれのバトン装置２０−１〜２０−ｎは、ＲＤＭ規格に沿った通信方式で自装置に接続された照明機器と通信を行うことで、照明機器１０−１〜１０−ｎを検出する。そして、照明制御装置５０は、接続が検出された各照明機器１０−１〜１０−ｎに対し、照明制御システム１が各照明機器１０−１〜１０−ｎを制御するための制御アドレスを一括で自動設定する。
【００３０】
ここで、制御アドレスを一括で自動設定するとは、例えば、制御対象とする照明機器に対して、その照明機器を適切に制御できるような制御アドレス（例えば、連番の制御アドレス等）を一斉に付与する、若しくは、制御対象とする照明機器に対して、その照明機器を適切に制御できるような制御アドレスをまとめて付与する等、制御対象とする照明機器の制御アドレスを個々に設定するのではなく、少なくとも複数の照明機器に対して制御アドレスを一度の処理でまとめて設定する処理である。
【００３１】
なお、照明制御システム１は、制御対象となる照明機器に対し、制御アドレスを一度の処理でまとめて設定するのであれば、制御対象となる照明機器に対して順次制御アドレスを付与していってもよく、同時に制御アドレスを付与してもよい。例えば、照明制御装置５０は、制御アドレスを設定する信号を各照明機器に対して順次出力してもよく、接続形態によっては、制御アドレスを設定する信号を各照明機器に対して同時に出力してもよい。このように、一括とは、時間的若しくは処理の同時性を求めるものではない。
【００３２】
また、照明制御システム１は、照明制御システム１に接続された全ての照明機器に対し、制御アドレスを一括で自動設定してもよく、全ての照明機器の一部（例えば、バトン装置２０−１に接続された照明機器１０−１〜１０−ｎ）に対し、制御アドレスを一括で自動設定してもよい。また、照明制御システム１は、検出した全ての照明機器のうち、一部の照明機器に対して制御アドレスを付与し、その後に、他の照明機器に対して制御アドレスを付与してもよい。
【００３３】
すなわち、各照明機器１０−１〜１０−ｎに対して、個々に制御アドレスを手作業で付与した場合は、制御アドレスの重複や付与する制御アドレスの誤り等が生じる恐れがある。そこで、照明制御システム１は、制御対象となる照明機器に対し、適切に照明演出を実現することができるような制御アドレスを一括して付与することで、各照明機器を適切に制御することができる。
【００３４】
ここで、照明制御装置５０は、照明制御システム１に接続された各照明機器１０−１〜１０−ｎに対し、連番からなる制御アドレスを設定してもよく、各フェーダに予め制御アドレスを対応付けておき、利用者から、各照明機器１０−１〜１０−ｎに対する操作を受付けるフェーダの指定を受付けると、指定されたフェーダと予め関連付けられた制御アドレスを設定する等、所定のルールに基づいて制御アドレスを一括で自動設定する。
【００３５】
この結果、照明制御システム１は、照明機器１０−１〜１０−ｎ側で制御アドレスを手作業で設定することなく、各照明機器１０−１〜１０−ｎを適切に制御することができる。また、照明制御システム１は、照明機器の追加、変更や、照明機器を別の位置に移動する場合、若しくは制御アドレスを誤って設定してしまった場合であっても、ＲＤＭ規格に沿った通信方式により制御アドレスを遠隔で振り直すので、照明機器を取り外して制御アドレスを手作業で設定し直すといった作業を行わずとも、適切に制御を行うことができる。
【００３６】
（実施形態に係る各装置の機能構成）
続いて、図２を用いて、実施形態に係る照明機器１０、バトン装置２０および照明制御装置５０の機能構成の一例を説明する。図２は、実施形態に係る各装置の機能構成の一例を示すブロック図である。なお、以下の説明では、照明機器１１、１２は、照明機器１０と同様の構成および機能を発揮するものとして、説明を省略する。
【００３７】
まず、照明機器１０の構成について説明する。実施形態に係る照明機器１０は、記憶部１３、制御部１４、光源部１５を有する。
【００３８】
記憶部１３は、照明機器１０が有する不揮発性のメモリであり、照明機器１０の照明機器情報が登録される。ここで照明機器情報としては、例えば、製造会社名、機器型番、ＵＩＤ（Unique  Identifier）、ＤＭＸアドレス、点灯時間、通電時間、質量、パーソナリティー設定といった情報が含まれる。
【００３９】
ここで、製造会社名とは、照明機器１０の製造会社名である。機器型番とは、製造会社によって定められた照明機器１０の型番である。ＵＩＤとは、ＤＭＸ規格で用いられる装置ごとに固有の番号であり、各照明機器１０−１〜１０−ｎに予め付与される１２桁の１６進数で表される情報である。また、ＤＭＸアドレスとは、ＤＭＸのデータリンク上におけるアドレス、すなわち、照明制御装置５０が照明機器１０を制御する際に用いる制御アドレスである。
【００４０】
また、点灯時間とは、照明機器１０の光源を点灯させた時間の合計を示す情報である。また、通電時間とは、照明機器１０に電力が供給された時間の合計を示す情報である。また、質量とは、照明機器１０の質量を示す情報である。また、パーソナリティー設定とは、照明機器１０の動作のモードを示す情報である。
【００４１】
制御部１４は、照明の制御を行う。例えば、バトン装置２０は、照明制御装置５０から照明機器１０の制御アドレスとともに制御情報を受信すると、受信した制御情報を制御信号に変換し、制御アドレスが示す照明機器１０に出力する。このような場合、制御部１４は、バトン装置２０から受信した制御信号に従って、光源部１５を制御する。また、バトン装置２０は、照明機器情報の読出し要求を各照明機器１０−１〜１０−ｎに出力する。このような場合、制御部１４は、記憶部１３に登録された照明機器情報を読出し、読出した照明機器情報をバトン装置２０に出力する。
【００４２】
光源部１５は、照明機器１０が有する光源であり、制御部１４の制御に従って、照度、照明する範囲、色彩等を制御可能なＬＥＤ等の半導体発光素子により実現される。
【００４３】
次に、バトン装置２０の構成について説明する。実施形態に係るバトン装置２０は、通信部２３、位置検出部２４、複数のポート２５〜２７を有する。なお、バトン装置２０は、ポート２５〜２７に限らず、任意の数のポートを有していてもよい。
【００４４】
通信部２３は、ハブ３０を介して、照明制御装置５０との間で情報の送受信を行う通信装置であり、例えば、ＮＩＣ（Network  Interface  Card）等の通信装置によって実現される。また、各ポート２５〜２７は、各照明機器１０−１〜１０−ｎを接続するためのポートであり、例えば、ＲＤＭ規格に従って信号を送受信するためのコネクタである。
【００４５】
位置検出部２４は、各ポート２５〜２７に接続された照明機器１０を検出する。例えば、照明制御装置５０は、オペレータの指示等に応じて、各バトン装置２０〜２２に対して照明機器情報を要求する要求情報を送信する。このような場合、位置検出部２４は、各ポート２５〜２７を介して照明機器情報の読出し要求を出力し、各照明機器１０−１〜１０−ｎから応答として受信した照明機器情報と、照明機器情報が示す照明機器が接続された位置を示す設置位置情報とを照明制御装置５０に送信する。ここで、設置位置情報としては、例えば、照明機器情報を受信したポートを示すポート番号等が採用される。
【００４６】
また、照明制御装置５０は、例えば、照明機器１０の制御を行う場合は、照明機器１０と対応付けた制御アドレスを含む制御情報を送信する。このような場合、位置検出部２４は、受信した制御アドレスが設定された照明機器１０を特定し、特定した照明機器に対して制御信号を出力することで、照明機器１０を制御する。
【００４７】
次に、照明制御装置５０の構成について説明する。実施形態に係る照明制御装置５０は、通信部５１、操作部５２、記憶部５３、表示部５４、制御部５５を有する。通信部５１は、ハブ３０及びバトン装置２０を介して、照明機器１０との間で情報の送受信を行い、例えば、ＮＩＣ等の通信装置によって実現される。
【００４８】
操作部５２は、各照明機器１０−１〜１０−ｎに対する操作を受付けるものであり、例えば、複数のフェーダ５２−１〜５２−ｎを有する。各フェーダ５２−１〜５２−ｎには、それぞれ個別のフェーダ番号が付与されており、例えば、各照明機器１０−１〜１０−ｎの照度を変更する操作を受付けるスライダである。なお、操作部５２はタッチパネル等を利用して構成することもできる。
【００４９】
記憶部５３は、ＨＤＤ（Hard  Disk  Drive）、ＳＳＤ（Solid  State  Drive）、フラッシュメモリ、ＲＡＭ（Random  Access  Memory）等の記憶装置により実現されるものであり、フェーダ番号管理テーブル５３ａと、アドレス管理テーブル５３ｂとを記憶する。
【００５０】
フェーダ番号管理テーブル５３ａには、各フェーダ５２ａ〜５２ｄと制御アドレスとの対応が格納される。例えば、図３は、実施形態に係るフェーダ番号管理テーブルに格納された情報の一例を示す図である。図３に示す例では、フェーダ番号管理テーブル５３ａには、フェーダ番号と制御アドレスとが対応付けて登録されている。例えば、図３に示す例では、各フェーダ番号「Ｆ１」〜「Ｆ６」に制御アドレス「１１」〜「１６」が対応付けて登録されている。
【００５１】
なお、図３に示す例では、対応付けられたフェーダ番号と制御アドレスとに異なる値が設定されていたが、実施形態はこれに限定されるものではない。例えば、１つのフェーダ番号に対して複数の制御アドレスを対応付けることにより、複数の制御アドレスに対して共通の制御信号を与えることもできる。
【００５２】
図２に戻り、アドレス管理テーブル５３ｂには、各照明機器１０−１〜１０−ｎとフェーダとの対応付けが格納される。例えば、図４は、実施形態に係るアドレス管理テーブルに格納された情報の一例を示す図である。図４に示す例では、アドレス管理テーブル５３ｂには、フェーダ番号、制御アドレス、識別情報、器具情報、バトン番号、設置位置情報等が対応付けて登録されている。
【００５３】
ここで、アドレス管理テーブル５３ｂに登録されたフェーダ番号は、対応付けられた識別情報が示す照明機器と対応付けられたフェーダを示す番号である。また、アドレス管理テーブル５３ｂに登録された制御アドレスは、対応付けられた識別情報が示す照明機器に対して設定された制御アドレス、すなわちＤＭＸアドレスである。また、識別情報とは、照明機器から収集した照明機器情報に含まれるＵＩＤである。
【００５４】
また、器具情報とは、照明機器情報から特定可能な照明機器の情報であり、「スポットライト」や「ベースライト」といった照明機器の種別や、「１ｋＷ（キロワット）」といった照明機器の消費電力を示す情報が含まれる。また、バトン番号とは、照明機器情報の送信元となるバトン装置、すなわち、照明機器情報が示す照明機器が設置されたバトン装置を識別するための番号である。また、設置位置情報とは、照明機器情報が示す照明機器がバトン装置のどのポートに接続されているかを示す情報である。
【００５５】
例えば、図４に示す例では、フェーダ番号「Ｆ１」、制御アドレス「１１」、識別情報「ＵＩＤ１」、器具情報「スポットライト、１ｋＷ」、バトン番号「ＳＬ１」、および設置位置情報「１」が対応付けて登録されている。この情報は、識別情報「ＵＩＤ１」が示す照明機器が消費電力「１ｋＷ」の「スポットライト」であり、バトン番号「ＳＬ１」が示すバトン装置のポートのうち、設置位置情報「１」が示すポートに接続されており、照明機器に制御アドレス「１１」が設定され、フェーダ番号「Ｆ１」が示すフェーダが対応付けられている旨を示す。なお、以下の説明では、バトン番号「ＳＬ１」が示すバトン装置をバトン装置「ＳＬ１」と記載する場合がある。
【００５６】
なお、後述する説明で明らかとなるように、各照明機器１０−１〜１０−ｎが検出されてから、各照明機器１０−１〜１０−ｎとフェーダ５２ａ〜５２ｄとの対応付けがなされていない状態においては、アドレス管理テーブル５３ｂには識別情報、器具情報、バトン番号、設置位置情報が登録される。アドレス管理テーブル５３ｂに制御アドレスを登録してもよい。
【００５７】
図２に戻り説明を続ける。表示部５４は、後述する制御部５５による制御に従い、照明制御装置５０に接続された各照明機器１０−１〜１０−ｎの設置位置と、各照明機器１０−１〜１０−ｎに設定された制御アドレスと、各照明機器１０−１〜１０−ｎに対する操作を受付けるフェーダ５２−１〜５２−ｎの情報とを表示する表示装置であり、例えば、液晶モニタやタッチパネル等により実現される。なお、表示部５４が表示する画面の一例については、後述する。
【００５８】
制御部５５は、位置検出部２４が検出した各照明機器１０−１〜１０−ｎに対し、照明制御システム１が各照明機器１０−１〜１０−ｎを制御するための制御アドレスを一括で設定する。例えば、制御部５５は、照明機器１０に対する操作を受付けるフェーダ５２−１〜５２−ｎに対応する制御アドレスを各照明機器１０−１〜１０−ｎに対して設定する。
【００５９】
以下、制御部５５が実行する処理の一例を説明する。例えば、制御部５５は、オペレータの指示等に応じて、要求情報を各バトン装置２０に出力する。このような場合、各バトン装置２０は、自装置に接続された照明機器１０の照明機器情報と設置位置情報とを応答として照明制御装置５０に送信する。一方、制御部５５は、照明機器１０の照明機器情報と設置位置情報とを受信すると、照明機器情報に含まれる識別情報および器具情報と、照明機器情報の送信元となるバトン装置を示すバトン番号と、照明機器情報とともに受信した設置位置情報とを対応付けてアドレス管理テーブル５３ｂに登録する。
【００６０】
また、制御部５５は、収集した照明機器情報と設置位置情報とを表示部５４に表示させる。このような場合、オペレータは、タッチパネル、マウス、トラックボール等を介して、各照明機器１０−１〜１０−ｎの操作を受付けるフェーダの指定、すなわち、照明機器１０とフェーダ５２−１〜５２−ｎの対応付けを照明制御装置５０に入力する。そして、制御部５５は、各照明機器１０−１〜１０−ｎの操作を受付けるフェーダ５２−１〜５２−ｎのフェーダ番号の指定を受付けると、指定されたフェーダ番号と対応する制御アドレスを各照明機器１０−１〜１０−ｎに一括で設定する。
【００６１】
例えば、表示部は、識別情報が「ＵＩＤ１」である照明機器１０の情報や設置位置を表示部５４に表示させ、オペレータから、照明機器１０に対する操作を受付けるフェーダとして、フェーダ番号が「Ｆ１」であるフェーダ５２−１の指定を受付ける。このような場合、制御部５５は、フェーダ番号「Ｆ１」と対応付けられた制御アドレス「１１」をフェーダ番号管理テーブル５３ａから取得し、取得した制御アドレス「１１」とフェーダ番号「Ｆ１」とを識別情報「ＵＩＤ１」と対応付けてアドレス管理テーブル５３ｂに登録する。
【００６２】
また、制御部５５は、照明機器１０に対して制御アドレス「１１」を設定するよう指示する設定指示をバトン装置２０に送信する。このような場合、位置検出部２４は、ＲＤＭ規格に従って、制御アドレス「１１」を記憶部１３に登録するよう照明機器１０に指示する設定信号を出力する。この結果、照明機器１０は、記憶部１３に登録された制御アドレスを、制御アドレス「１１」に更新するので、制御アドレス「１１」と対応するフェーダ番号「Ｆ１」が示すフェーダ５２−１の操作に従い、照明を調節することとなる。なお、制御部５５は、他の照明機器１１、１２についても同様の処理を行うことで、照明制御システム１に接続された照明機器１１〜１２に対し、一括で制御アドレスを遠隔設定する。
【００６３】
また、制御部５５は、各照明機器１０−１〜１０−ｎに制御アドレスを設定した場合は、表示部５４を制御し、照明制御装置５０に接続された各照明機器１０−１〜１０−ｎの設置位置と、各照明機器１０−１〜１０−ｎに設定された制御アドレスと、各照明機器１０−１〜１０−ｎに対する操作を受付けるフェーダ５２−１〜５２−ｎの情報とを表示させる。
【００６４】
例えば、図５は、実施形態に係る照明制御装置が表示する情報の一例を示す第１の図である。なお、図５に示す例では、バトン番号「ＵＨ１」、「ＵＨ２」、「ＵＨ３」、「ＳＬ１」、「ＳＬ２」、「ＳＬ３」が示すバトン装置に対し、６つの照明機器を接続した際に表示される表示ウインドウ１００の一例を記載した。また、図５に示す例では、各バトン装置が設置位置情報「１」〜「８」で示される８つのポートを有する例について記載した。
【００６５】
例えば、表示部５４は、図５に示すように、各バトン装置のアイコンと、各バトン装置のバトン番号と、各バトン装置が有するポートの設置位置情報を表示し、各バトン装置のアイコンと重ねるように、各照明機器の操作を受付けるフェーダ番号と、各照明機器に付与された制御アドレスとを表示する。
【００６６】
例えば、図４に示す例では、フェーダ番号「Ｆ１」と、制御アドレス「１１」と、識別情報「ＵＩＤ１」と、バトン番号「ＳＬ１」と、設置位置情報「１」とが対応付けて登録されている。このような場合、表示部５４は、図５に示すように、バトン装置「ＳＬ１」のアイコンのうち、制御位置情報「１」が示すポートを模式的に示す位置に、識別情報「ＵＩＤ１」が示す照明機器と対応するフェーダ番号「Ｆ１」と制御アドレス「１１」とを重ねて表示し、識別情報「ＵＩＤ２」〜「ＵＩＤ６」が示す照明機器についても同様に、対応づけられたフェーダ番号や設定された制御アドレスを、照明機器が設置されたバトン装置のポートを模式的に示す位置に表示する。
【００６７】
また、図６は、実施形態に係る照明制御装置が表示する情報の一例を示す第２の図である。図６に示すように、表示部５４は、オペレータが照明機器を模式的に示す表示を選択した場合は、照明機器の情報をより詳しく表示する。例えば、図６に示す例では、オペレータの指Ｔ１０が、バトン装置「ＳＬ１」のポートのうち、設置位置情報「３」が示すポートを模式的に示す位置を選択している。このような場合、表示部５４は、バトン装置「ＳＬ１」のポートのうち、設置位置情報「３」が示すポートに接続された照明機器（識別情報「ＵＩＤ２」が示す照明機器）の情報をアドレス管理テーブル５３ｂから読出し、読み出した情報を含む詳細ウインドウ１０１を表示する。例えば、詳細ウインドウ１０１には、ＵＩＤ「ＵＩＤ２」、制御アドレス「１２」、フェーダ番号「Ｆ１２」、器具情報「スポットライト」、型名「ＸＸＸＸＸＸＸ」、出力「２ｋＷ」、接続位置「バトン「ＳＬ１」、ポート「３」」、状態「ＹＹＹＹＹＹＹＹ」といった情報が表示される。
【００６８】
なお、表示部５４は、照明機器１０とフェーダ５２−１〜５２−ｎとの対応付けが行われていない場合は、図５、図６に例示した画面内に、照明機器１０が接続された位置を表示し、オペレータが表示を選択すると、フェーダの指定画面を表示する。そして、制御部５５は、オペレータがフェーダを指定した場合は、オペレータが選択した位置に接続された照明機器と、オペレータが選択したフェーダとを対応付ければよい。
【００６９】
また、制御部５５は、照明機器１０と各フェーダ５２−１〜５２−ｎとの対応や、各照明機器１０−１〜１０−ｎに付与される制御アドレスをオペレータの指示に従って修正してもよい。例えば、オペレータは、照明機器１０が設置される位置や照明機器１０の制御内容に応じて、照明機器１０と各フェーダ５２−１〜５２−ｎとの対応や、照明機器１０に付与される制御アドレスの変更を指示する。このような場合、制御部５５は、オペレータの指示に従って、各照明機器１０−１〜１０−ｎに付与する制御アドレスを更新してもよい。
【００７０】
なお、制御部５５は、オペレータがフェーダ５２−１〜５２−ｎを操作した場合、操作されたフェーダ５２−１〜５２−ｎのフェーダ番号と対応する制御アドレスをフェーダ番号管理テーブル５３ａから取得し、取得した制御アドレスを含む制御情報を出力することで、操作されたフェーダ５２−１〜５２−ｎと対応する照明機器１０の制御を行う。
【００７１】
上述した照明制御装置５０は、ＣＰＵ（Central  Processing  Unit）とＲＡＭ（Random  Access  Memory）、ＥＥＰＲＯＭ，フラッシュメモリなどを有するコンピュータが、所定の記録媒体に登録された制御プログラムを読み取り、読み取った制御プログラムを実行することにより、実現されてもよい。
【００７２】
（実施形態に係る設定処理）
図７は、実施形態に係る照明制御装置における設定処理の一例を示すフローチャートである。なお、図７には、設定作業において行われる処理の一例について記載した。まず、オペレータは、どの照明機器をどの位置に設置するかを示す吊り込み図を作成する（ステップＳ１０１）。なお、吊り込み図には、照明機器に対して設定される制御アドレスが記載されていてもよく、記載されていなくともよい。そして、オペレータは、吊り込み図に従って、各照明機器１０−１〜１０−ｎをバトン装置２０に吊り込む（ステップＳ１０２）。
【００７３】
続いて、バトン装置２０の位置検出部２４は、照明制御システム１に接続された照明機器１０の照明機器情報と設置位置情報とを収集する（ステップＳ１０３）。また、照明制御装置５０の制御部５５は、収集した照明機器情報と設置位置情報とを表示するとともに、オペレータからの指示に従って、各照明機器１０−１〜１０−ｎの制御を受付けるフェーダのフェーダ番号を割り振る（ステップＳ１０４）。そして、照明制御装置５０の制御部５５は、各照明機器１０−１〜１０−ｎに対し、割り振られたフェーダ番号と対応する制御アドレス、すなわち、各照明機器１０−１〜１０−ｎの制御を受付けるフェーダ５２−１〜５２−ｎと対応する制御アドレスを設定する（ステップＳ１０５）。
【００７４】
また、オペレータは、制御アドレスの設定が終了すると、フェーダ５２−１〜５２−ｎを実際に操作することで、フェーダ５２−１〜５２−ｎと照明機器１０との対応を確認し（ステップＳ１０６）、対応が適切に行われているかを判定する（ステップＳ１０７）。そして、制御部５５は、対応が適切に行われていない場合は（ステップＳ１０７：Ｎｏ）、オペレータからフェーダ番号の修正を受付し（ステップＳ１０４）、対応が適切に行われている場合は（ステップＳ１０７：Ｙｅｓ）、処理を終了する。
【００７５】
（照明機器と制御アドレスとフェーダ番号との対応について）
上述した実施形態では、照明制御装置５０は、各照明機器１０−１〜１０−ｎに対し、各照明機器１０−１〜１０−ｎに対する制御を受付ける各フェーダ５２−１〜５２−ｎと予め対応付けられた制御アドレスを設定したが、実施形態は、これに限定されるものではない。例えば、各フェーダ５２−１〜５２−ｎと対応付けられた制御アドレスは、オペレータの指示によって変更されてもよい。
【００７６】
例えば、図８は、実施形態に係る照明機器と制御アドレスとフェーダ番号との対応の一例を説明する図である。なお、図８に示す例では、バトン装置「ＳＬ１」のポート「１」〜「８」に、それぞれ照明機器が接続された場合に、各照明機器の操作を受付けるフェーダと対応した制御アドレスを設定する例について記載した。
【００７７】
例えば、図８に示す例では、制御アドレス「１１」がフェーダ番号「１」に対応付けられており、制御アドレス「１２」がフェーダ番号「３」に対応付けられており、制御アドレス「１３」がフェーダ番号「２」に対応付けられており、制御アドレス「１４」がフェーダ番号「６」に対応付けられており、制御アドレス「１５」がフェーダ番号「５」に対応付けられており、制御アドレス「１６」がフェーダ番号「４」に対応付けられている。
【００７８】
図８に示す場合において、例えば、オペレータは、ポート「１」に設置された照明機器の操作を受付けるフェーダとしてフェーダ番号「１」のフェーダを指定し、ポート「２」〜「４」に設置された照明機器の操作を受付けるフェーダとしてフェーダ番号「２」のフェーダを指定し、ポート「５」に設置された照明機器の操作を受付けるフェーダとしてフェーダ番号「３」のフェーダを指定し、ポート「６」に設置された照明機器の操作を受付けるフェーダとしてフェーダ番号「４」のフェーダを指定し、ポート「７」に設置された照明機器の操作を受付けるフェーダとしてフェーダ番号「５」のフェーダを指定し、ポート「８」に設置された照明機器の操作を受付けるフェーダとしてフェーダ番号「６」のフェーダを指定する。
【００７９】
上述した指定が行われた場合、照明制御装置５０は、ポート「１」に設置された照明機器に対し、フェーダ番号「１」に対応付けられた制御アドレス「１１」を設定し、ポート「２」〜「４」に設置された照明機器に対し、フェーダ番号「２」に対応付けられた制御アドレス「１３」を設定し、ポート「５」に設置された照明機器に対し、フェーダ番号「３」に対応付けられた制御アドレス「１２」を設定し、ポート「６」に設置された照明機器に対し、フェーダ番号「４」に対応付けられた制御アドレス「１６」を設定し、ポート「７」に設置された照明機器に対し、フェーダ番号「５」に対応付けられた制御アドレス「１５」を設定し、ポート「８」に設置された照明機器に対し、フェーダ番号「６」に対応付けられた制御アドレス「１４」を設定する。
【００８０】
すなわち、オペレータは、照明機器１０に設定される制御アドレスと、フェーダ５２−１〜５２−ｎに対応する制御アドレスとの整合性を保持せずとも、照明機器１０とフェーダ５２−１〜５２−ｎとの対応のみをオペレータが望むように設定すれば、各照明機器１０−１〜１０−ｎを適切に操作することができる。
【００８１】
なお、照明制御装置５０は、管理を容易にするため、各照明機器１０−１〜１０−ｎに対し、各照明機器１０−１〜１０−ｎの操作を受付けるフェーダのフェーダ番号と同一の番号を制御アドレスとして設定してもよい。例えば、照明制御装置５０は、照明機器１０の操作を受付けるフェーダ５２−１のフェーダ番号が「１１」である場合は、照明機器１０の制御アドレスを「１１」に設定してもよい。
【００８２】
（操作対象から除外する照明機器について）
上述した実施形態では、照明制御システム１は、照明制御システム１に接続された各照明機器に対し、フェーダ番号と対応する制御アドレスを付与した。しかしながら、実施形態は、これに限定されるものではない。例えば、スタジオ等の運用によっては、使用されない照明機器が設置される場合も考えられるが、照明機器にフェーダ番号と対応する制御アドレスを付与すると、誤操作により照明機器が操作される恐れがある。そこで、照明制御システム１は、制御対象から除外する照明機器に対し、制御対象となる照明機器を制御する際に用いる制御アドレスとは異なる制御アドレスを設定してもよい。
【００８３】
例えば、照明制御装置５０は、フェーダ番号管理テーブル５３ａに登録されていない制御アドレス（例えば、制御アドレス「５１２」等）、すなわち、フェーダ５２と予め関連付けられた制御アドレスとは異なる制御アドレスを特定し、オペレータが照明機器１０を使用しない照明機器として設定した場合は、フェーダ番号管理テーブル５３ａに登録されていない制御アドレスを照明機器１０に設定してもよい。また、照明制御装置５０は、使用されない照明機器の記憶部に登録された制御アドレスを消去してもよい。
【００８４】
また、オペレータは、照明制御装置５０が制御対象となる照明機器に付与する制御アドレスとは異なる制御アドレスを、制御対象から除外する照明機器に対して手作業で付与してもよい。また、オペレータは、照明制御システム１に接続されていない照明機器に対し、照明制御装置５０が制御対象となる照明機器に付与する制御アドレスとは異なる制御アドレスを付与することで、かかる照明機器が照明制御システム１に接続された際の誤作動を防止してもよい。
【００８５】
このように、制御対象から除外する照明機器の制御アドレスは、制御対象となる照明機器に付与された制御アドレスとは異なる制御アドレスであれば、手動で設定されてもよく、自動で設定されてもよい。また、オペレータは、照明制御システム１に接続された照明機器１０以外にも、照明制御システム１に接続されていない照明機器に対して、制御対象となる照明機器に付与された制御アドレスとは異なる制御アドレスを付与してもよい。このような処理を実行した場合、照明制御装置５０は、誤操作したとしても、使用しない照明機器の点灯、消灯、調光を防止することができる。
【００８６】
（制御アドレスの付与について）
例えば、照明制御システム１は、照明機器１０を適切に制御することができるのであれば、オペレータが指定したフェーダ５２−１〜５２−ｎと対応する制御アドレス以外にも、任意の制御アドレスを一括で設定してもよい。例えば、各照明機器１０−１〜１０−ｎには、ＵＩＤごとに異なる制御アドレスを自動で付与されてもよく、連番の制御アドレスが自動で付与されてもよい。
【００８７】
また、一般に、オペレータは、各フェーダ５２−１〜５２−ｎの操作対象を容易に把握するため、各照明機器１０−１〜１０−ｎに対して、設置位置に応じたフェーダを対応付けると考えられる。そこで、照明制御システム１は、各照明機器１０−１〜１０−ｎの設置位置に対応した制御アドレスを付与してもよい。
【００８８】
例えば、照明制御システム１は、フェーダ５２−１，５２−２，５２−３が照明制御装置５０が有する図示しない操作卓の左側から右側へと配置されており、照明機器１０が、オペレータから見て左側から右側へと配置されている場合、照明機器１０に対してフェーダ５２−１と対応する制御アドレスを付与し、照明機器１１に対してフェーダ５２−２と対応する制御アドレスを付与し、照明機器１２に対してフェーダ５２−３と対応する制御アドレスを付与してもよい。このような処理を実行することで、照明制御システム１は、照明機器１０の操作をより容易にすることができる。
【００８９】
また、照明制御システム１は、検出した照明機器１０に対して一括で、すなわち、検出した照明機器１０に対してまとめて制御アドレスを付与する。例えば、照明制御装置５０は、照明機器１０が検出されると、照明機器１０に対して制御アドレスを設定してから照明機器１１に対して制御アドレスを設定し、その後、照明機器１２に対して制御アドレスを設定してもよい。また、照明制御装置５０は、照明機器１０が検出され、制御アドレスを設定した後で、新たな照明機器が検出された場合は、新たに検出された照明機器のみに制御アドレスを設定してもよく、照明機器１０を含めた全ての照明機器に対して制御アドレスを設定してもよい。すなわち、一括して制御アドレスを設定する処理とは、検出された照明機器１０の制御アドレスをまとめて設定する処理であり、制御アドレスを設定するタイミングを同一に限定するものではない。
【００９０】
（各照明機器に設定される制御アドレスについて）
照明制御システム１は、各照明機器１０−１〜１０−ｎとフェーダ５２−１〜５２−ｎとを一対一で対応付ける場合には、各照明機器１０−１〜１０−ｎに対して、それぞれ異なるフェーダ５２−１〜５２−ｎと対応する制御アドレスを設定すればよい。
【００９１】
また、照明制御システム１は、照明機器１０に対し、利用者が指定した任意の制御アドレスを設定してもよく、オペレータの操作に従って、フェーダ番号管理テーブル５３ａに登録された制御アドレスや、アドレス管理テーブル５３ｂに登録された制御アドレスを更新し、更新内容に応じて、照明機器１０に設定された制御アドレスを遠隔で更新してもよい。すなわち、照明制御システム１は、照明制御システム１が適切に各照明機器１０−１〜１０−ｎを制御することができるのであれば、任意の制御アドレスを各照明機器１０−１〜１０−ｎに対し、設定してよい。
【００９２】
ここで、照明制御装置５０は、予めプログラムされた態様で照明機器１０を制御する場合、フェーダ５２−１〜５２−ｎ等の操作部５２を有さない場合がある。このため、照明制御装置５０は、照明機器１０に対し、フェーダ５２−１〜５２−ｎ等の操作部５２に対応する制御アドレスではなく、例えば、予め定められた制御アドレスや連番の制御アドレス等を自動で設定してもよい。すなわち、照明制御システム１は、各照明機器１０−１〜１０−ｎを適切に制御することができるのであれば、操作部５２に対応する制御アドレス以外にも、任意の態様の制御アドレスを自動で付与して良い。
【００９３】
（アドレスの更新について）
ここで、照明機器には、前回の使用時に制御アドレスが設定されている場合がある。このため、照明制御システム１は、新たに追加した照明機器に前回使用時の制御アドレスが設定済みである場合は、制御アドレスの重複等が生じる結果、照明機器を適切に制御できない場合がある。そこで、照明制御システム１は、新たに追加した照明機器の制御アドレスを、照明制御システム１が新たに追加した照明機器を適切に制御するための制御アドレスに更新してもよい。
【００９４】
例えば、照明制御装置５０は、新たに照明機器が接続された場合や、オペレータからの指示により、照明制御システム１に接続された全ての照明機器を検出しなおし、検出し直した照明機器に設定済みの制御アドレスを、連番の制御アドレスや、各照明機器に対する操作を受付けるフェーダに予め関連付けられていた制御アドレス等、各照明機器を適切に制御するための制御アドレスに更新する。このような処理を実行した場合、照明制御システム１は、新たに追加された照明機器を適切に制御することができる。
【００９５】
（アイコンの表示について）
また、照明制御装置５０は、照明機器情報を収集した照明機器の種別に応じたアイコンを表示することで、照明機器の把握を容易にしてもよい。例えば、図９は、実施形態に係る照明機器情報が表示する画面のバリエーションを示す図である。なお、図９には、図５、６と同様に、バトン番号「ＵＨ１」、「ＵＨ２」、「ＵＨ３」、「ＳＬ１」、「ＳＬ２」、「ＳＬ３」が示すバトン装置に対し、６つの照明機器を接続した際に表示される表示ウインドウ１００の一例を記載した。
【００９６】
例えば、照明制御装置５０は、照明機器情報を収集すると、収集した照明機器情報の型番等から照明機器の種別を特定する。ここで、照明機器の種別としては、スポットライトやフラッドライト等が適用される。そして、照明制御装置５０は、照明機器が設定された位置を模式的に示す画面上の位置に、照明機器の種別に応じたアイコンを表示する。
【００９７】
例えば、バトン装置「ＳＬ１」のポート「１」、「３」、「６」、バトン装置「ＳＬ３」のポート「２」に設置された照明機器がスポットライトであり、バトン装置「ＳＬ２」のポート「１」、「７」に設置された照明機器がフラッドライトである。このような場合、照明制御装置５０は、バトン装置「ＳＬ１」のポート「１」、「３」、「６」、バトン装置「ＳＬ３」のポート「２」を模式的に示す位置にスポットライト型のアイコン１１０を表示し、バトン装置「ＬＳ２」のポート「１」、「７」を模式的に示す位置にフラッドライト型のアイコン１２０を表示する。また、照明制御装置５０は、各アイコン１１０、１２０と重ねるように、各照明機器に対する操作を受付けるフェーダのフェーダ番号や制御アドレスを表示する。このような処理を実行する結果、照明制御システム１は、照明機器の操作や把握を容易にすることができる。
【００９８】
（照明制御装置が利用する照明機器情報について）
上述した実施形態では、照明制御装置５０は、照明機器情報を用いて、照明機器の種別を特定した。しかしながら、実施形態は、これに限定されるものではない。例えば、照明制御装置５０は、照明機器情報に含まれる情報をキーとして、予め登録されたデータベースやインターネット上から照明機器の各種情報を収集し、収集した各種情報を用いた処理を実行してもよい。
【００９９】
（アイコンについて）
また、照明制御装置５０は、各照明機器の設定内容に応じて、アイコンを変更してもよい。例えば、照明制御装置５０は、照明機器１０の照明の照度に応じて、照明機器１０のアイコンの色、大きさや形状を変更してもよく、照度を示す値を照明機器１０のアイコンと共に表示してもよい。また、照明制御装置５０は、照明機器１０の照明の色に応じて、照明機器１０のアイコンの色を変更してもよい。
【０１００】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０１】
１  照明制御システム
１０−１〜１０−ｎ  照明機器
１３  記憶部
１４  制御部
１５  光源部
２０−１〜２０−ｎ  バトン装置
２３  通信部
２４  位置検出部
２５〜２７  ポート
３０  ハブ
４０  電源装置
５０  照明制御装置
５１  通信部
５２  操作部
５２−１〜５２−ｎ  フェーダ
５３  記憶部
５３ａ  フェーダ番号管理テーブル
５３ｂ  アドレス管理テーブル
５４  表示部
５５  制御部
１００  表示ウインドウ
１０１  詳細ウインドウ
１１０、１２０  アイコン
【図１】
0006443111.tif 000002
【図２】
0006443111.tif 000003
【図３】
0006443111.tif 000004
【図４】
0006443111.tif 000005
【図５】
0006443111.tif 000006
【図６】
0006443111.tif 000007
【図７】
0006443111.tif 000008
【図８】
0006443111.tif 000009
【図９】
0006443111.tif 000010